(57)【要約】      （修正有）【課題】バスルームやキッチンで使用される物品、たとえば、スポンジ、石鹸、チューブ、バスブーツ、洗面器を保持するホルダーにおいて、既存設備を上手く利用する。【解決手段】ホルダー１は、線材が折り曲げ形成されて成り、一端を架設されたタオル掛けもしくはハンドル２に掛留めする掛留め部分１８とし、他端を物品を保持する保持部１９とする。ホルダー１は、タオル掛けもしくはハンドル２の軸方向２１に見てＳ字状の線材１１〜１５が、軸方向２１に相互に間隔を開けて複数配置され、かつ各線材１１〜１５のＳ字の両端部１１１〜１１５，１１２〜１５２間が連結部材１６で連結されて構成される。したがって、吸盤などで壁面に取付いたりするのではなく、既設のタオル掛けもしくはドアのハンドル２に引掛けて使用するので、ずり落ちたり、剥がれたりすることなく、既存設備を利用して、安定して物品を保持することができる。【選択図】図１
2020130716.tif 000002
【特許請求の範囲】
【請求項１】
バスルームまたはキッチンにて、それらで使用される物品を保持するホルダーにおいて、
線材が折り曲げ形成されて成り、一端が前記バスルームまたはキッチンに架設されたタオル掛けもしくはハンドルに掛留めされ、他端に前記所定の物品を保持する保持部を備えることを特徴とするバスルームまたはキッチン用のホルダー。
【請求項２】
バスルームで使用され、前記物品は石鹸であり、前記タオル掛けもしくはドアのハンドルの軸方向に見てＳ字状の線材が前記軸方向に相互に間隔を開けて複数配置され、かつ各線材の前記Ｓ字の両端部間が連結部材で連結されて成り、連結された前記Ｓ字の一方の屈曲部分が前記タオル掛けもしくはハンドルへの掛留め部分となり、他方の屈曲部分が前記石鹸を保持する保持部となることを特徴とする請求項１記載のバスルームまたはキッチン用のホルダー。
【請求項３】
前記物品はスポンジであり、前記タオル掛けもしくはドアのハンドルの軸方向に見てＪ字状の掛留め部分と、その掛留め部分に連なり、前記軸方向に見て、上に開放したコの字状の保持部とを備え、それらは一本の線材が往復で折り曲げ形成された一対の部分から成り、かつその一対の部分において、前記保持部の部分は、下方になるに連れて相互に離反するように曲成されていることを特徴とする請求項１記載のバスルームまたはキッチン用のホルダー。
【請求項４】
バスルームで使用され、前記物品はチューブであり、前記タオル掛けもしくはドアのハンドルの軸方向に見てＪ字状の掛留め部分と、その掛留め部分に連なり、前記チューブの腹部を外囲するリング、前記リングから立下がる立下げ部、およびその立下げ部に連なり、前記チューブのキャップ部分を支持する当り部とを有する前記保持部とを備え、それらは一本の線材が折り曲げ形成されて成ることを特徴とする請求項１記載のバスルームまたはキッチン用のホルダー。
【請求項５】
前記掛留め部分は、前記軸方向に相互に間隔を開けた一対の部分から成り、該一対の掛留め部分の一方を形成する立上がり部と、他方を形成する立ち下がり部と、前記リングと、前記立下げ部と、前記当り部とが、一本の線材が一筆書き状に折り曲げ形成されて成ることを特徴とする請求項４記載のバスルームまたはキッチン用のホルダー。
【請求項６】
前記物品はバスブーツまたは洗面器であり、前記タオル掛けもしくはドアのハンドルの軸方向に見てＪ字状の掛留め部分と、その掛留め部分に連なり、前記軸方向に見てＣの字状の保持部とを備え、前記保持部は、前記Ｃの字状の線材が前記軸方向に相互に間隔を開けて２つ配置され、その２つの湾曲部分で両足分の前記バスブーツの踵部分をそれぞれ係止し、或いは洗面器の鍔の部分を抱え込むことを特徴とする請求項１記載のバスルームまたはキッチン用のホルダー。
【請求項７】
前記保持部における前記Ｃの字状の線材の下方の端部には、樹脂製のキャップが被せられていることを特徴とする請求項６記載のバスルームまたはキッチン用のホルダー。
【請求項８】
前記物品は小片のスポンジであり、前記タオル掛けもしくはドアのハンドルの軸方向に見てＪ字状の掛留め部分と、その掛留め部分に連なり、端部が拡大して形成される保持部とを備え、それらは一本の線材が保持部から掛留め部分で往復するように折り曲げ形成された一対の部分で構成され、前記拡大した端部間に、前記小片のスポンジをクランプすることで、筒物洗いに使用されることを特徴とする請求項１記載のバスルームまたはキッチン用のホルダー。
【請求項９】
前記線材は、ステンレスまたはそのメッキが施されて成ることを特徴とする請求項１〜８の何れか１項に記載のバスルームまたはキッチン用のホルダー。
【発明の詳細な説明】
【技術分野】
【０００１】
本発明は、バスルーム（風呂場）やキッチン（台所）で使用され、そこに架設されたタオル掛けやハンドルに、スポンジや石鹸などの物品を、ぶら下げて保持するホルダーに関する。
【背景技術】
【０００２】
前記バスルームやキッチンなどの水回りでは、細かな物品をそのまま放置すると、濡れてしまったり、石鹸などの汚れが付着したり、水に流されてしまったりすることがある。特に、バスルームで、石鹸にシャワーなどの湯水が掛ると、溶けたり、流れたりしてしまう。また、スポンジや洗面器なども、床面にそのまま放置すると、洗い場が狭くなったり、足を取られたりすることもある。そこで、それらの物品を、使わない時に、ぶら下げて保持するホルダーが、従来から多数用いられている。なお、本発明の適用場所としては、上述のバスルーム（風呂場）やキッチン（台所）を例示しているが、代表例であり、本発明のホルダーがぶら下げられるタオル掛けやハンドルが架設されている場所であれば、他の場所でもよい。たとえば、浴室に洗面所やトイレを併設したサニタリールームであったり、ランドリールームであってもよい。
【０００３】
特許文献１は、洗面器用掛け金具で、図６にその斜視図を示す。この金具９は、洗面器を保持するフック部９１と、壁面に打込まれる取付け部９２とを備え、１本の線材が折り曲げ形成されて構成されている。側面視で、フック部９１はＪ字状で、取付け部９２は、Ｊ字の先端から反対方向にＬ字に屈曲されて、先端が釘のように尖鋭に形成されている。そして、図７で示すように、取付け部９２が、壁面に取付けられた取付け板（ボード）９３に打込まれ、Ｊ字のフック部９１の内側に、洗面器９４のカールした鍔９５の部分を抱え込むようになっている。
【先行技術文献】
【特許文献】
【０００４】
【特許文献１】実用新案登録第３１９９４３７号公報
【発明の概要】
【発明が解決しようとする課題】
【０００５】
上述の洗面器用掛け金具９は、取付け板（ボード）９３に打込んで使用されるので、結局、取付け板（ボード）９３が必要になる。
【０００６】
本発明の目的は、既存設備を上手く活用することができるバスルームまたはキッチン用のホルダーを提供することである。
【課題を解決するための手段】
【０００７】
本発明のバスルームまたはキッチン用のホルダーは、バスルームまたはキッチンにて、それらで使用される物品を保持するホルダーにおいて、線材が折り曲げ形成されて成り、一端が前記バスルームまたはキッチンに架設されたタオル掛けもしくはハンドルに掛留めされ、他端に前記所定の物品を保持する保持部を備えることを特徴とする。
【０００８】
上記の構成によれば、バスルームまたはキッチンにて、それらで使用される物品、たとえば、スポンジ、石鹸、チューブ、バスブーツ、洗面器を保持するホルダーにおいて、吸盤などで壁面に取付いたりするのではなく、前記バスルームまたはキッチンに架設されたタオル掛けもしくはドアのハンドルに引掛けて使用するようにする。したがって、ずり落ちたり、剥がれたりすることなく、既存設備を利用して、安定して物品を保持することができる。
【０００９】
一方、該ホルダーは、線材を折り曲げて、また必要に応じて溶接やロウ付けなども併用して形成されて成り、一端が前記タオル掛けやドアのハンドルに掛留めされ、他端に前記所定の物品を保持する保持部を備える。したがって、線材（ワイヤー）で、水切れが良く、前記バスルームやキッチンでの使用に好適である。また、線材を、チャックまたはクランプして、曲げて行くだけあるので、格別、金型は必要無く、そのため低コストで、少量生産にも容易に対応することができる。
【００１０】
また、本発明のバスルームまたはキッチン用のホルダーでは、バスルームで使用され、前記物品は石鹸であり、前記タオル掛けもしくはドアのハンドルの軸方向に見てＳ字状の線材が前記軸方向に相互に間隔を開けて複数配置され、かつ各線材の前記Ｓ字の両端部間が連結部材で連結されて成り、連結された前記Ｓ字の一方の屈曲部分が前記タオル掛けもしくはハンドルへの掛留め部分となり、他方の屈曲部分が前記石鹸を保持する保持部となることを特徴とする。
【００１１】
上記の構成によれば、水切れが良く、かつ小さくなった石鹸も保持することができる石鹸用のホルダーを実現することができる。
【００１２】
さらにまた、本発明のバスルームまたはキッチン用のホルダーでは、前記物品はスポンジであり、前記タオル掛けもしくはドアのハンドルの軸方向に見てＪ字状の掛留め部分と、その掛留め部分に連なり、前記軸方向に見て、上に開放したコの字状の保持部とを備え、それらは一本の線材が往復で折り曲げ形成された一対の部分から成り、かつその一対の部分において、前記保持部の部分は、下方になるに連れて相互に離反するように曲成されていることを特徴とする。
【００１３】
上記の構成によれば、スポンジは、使用によりあまり大きさが変わらず、また軽いので、一本の線材を折返した一対の部分で保持する。しかも、この一対の部分で、保持部の部分は前記軸の側面方向から見て幅が拡がってゆくので、スポンジを安定して保持し、また上に開放したコの字の部分で脱落を防止することができる。
【００１４】
また、本発明のバスルームまたはキッチン用のホルダーでは、バスルームで使用され、前記物品はチューブであり、前記タオル掛けもしくはドアのハンドルの軸方向に見てＪ字状の掛留め部分と、その掛留め部分に連なり、前記チューブの腹部を外囲するリング、前記リングから立下がる立下げ部、およびその立下げ部に連なり、前記チューブのキャップ部分を支持する当り部とを有する前記保持部とを備え、それらは一本の線材が折り曲げ形成されて成ることを特徴とする。
【００１５】
上記の構成によれば、石鹸やクリームなどのチューブは、キャップ部分を下にして、立てて保管されると、残りを無駄なく使用することができ、好適である。その立てての保管には、保持部は、前記キャップ部分を下から押えるとともに、倒れないように腹部（チューブの中央部付近）を支えていればよい。そこで、タオル掛けもしくはドアのハンドルに引っ掛かる掛留め部分から、前記の保持部を、一本の線材を折り曲げて形成し、掛留め部分に連なり、前記チューブの腹部を外囲するリングと、前記リングから立下がる立下げ部と、その立下げ部に連なり、前記チューブのキャップ部分を支持する当り部とを備えて構成する。
【００１６】
したがって、チューブを、効果的に保持することができる。
【００１７】
さらにまた、本発明のバスルームまたはキッチン用のホルダーでは、前記掛留め部分は、前記軸方向に相互に間隔を開けた一対の部分から成り、該一対の掛留め部分の一方を形成する立上がり部と、他方を形成する立ち下がり部と、前記リングと、前記立下げ部と、前記当り部とが、一本の線材が一筆書き状に折り曲げ形成されて成ることを特徴とする。
【００１８】
上記の構成によれば、溶接やロウ付け無しで、線材（ワイヤ）を折り曲げるだけで、作成することができる。
【００１９】
また、本発明のバスルームまたはキッチン用のホルダーでは、前記物品はバスブーツまたは洗面器であり、前記タオル掛けもしくはドアのハンドルの軸方向に見てＪ字状の掛留め部分と、その掛留め部分に連なり、前記軸方向に見てＣの字状の保持部とを備え、前記保持部は、前記Ｃの字状の線材が前記軸方向に相互に間隔を開けて２つ配置され、その２つの湾曲部分で両足分の前記バスブーツの踵部分をそれぞれ係止し、或いは洗面器の鍔の部分を抱え込むことを特徴とする。
【００２０】
上記の構成によれば、保持部を２つのＣ字状の線材で構成することで、バスブーツや洗面器を上手く引っ掛けて保持することができる。
【００２１】
さらにまた、本発明のバスルームまたはキッチン用のホルダーでは、前記保持部における前記Ｃの字状の線材の下方の端部には、樹脂製のキャップが被せられていることを特徴とする。
【００２２】
上記の構成によれば、金属製の線材の端部に樹脂製のキャップを被せておくことで、前記のバスブーツの踵部分や、洗面器の内周に、傷を付けることを防止することができる。
【００２３】
また、本発明のバスルームまたはキッチン用のホルダーでは、前記物品は小片のスポンジであり、前記タオル掛けもしくはドアのハンドルの軸方向に見てＪ字状の掛留め部分と、その掛留め部分に連なり、端部が拡大して形成される保持部とを備え、それらは一本の線材が保持部から掛留め部分で往復するように折り曲げ形成された一対の部分で構成され、前記拡大した端部間に、前記小片のスポンジをクランプすることで、筒物洗いに使用されることを特徴とする。
【００２４】
上記の構成によれば、タオル掛けもしくはドアのハンドルに引っ掛けて保持するスポンジホルダーを、そのまま、小片のスポンジを鋏のように挟み込んで保持することで、ジョッキや水筒などの筒物を洗うことに使用可能にする。
【００２５】
したがって、スポンジホルダーと筒物洗いとを兼用し、利便性を向上することができる。
【００２６】
好ましくは、前記線材は、ステンレスまたはそのメッキが施されて成ることを特徴とする。
【発明の効果】
【００２７】
本発明のバスルームまたはキッチン用のホルダーは、以上のように、バスルームやキッチンで使用される物品、たとえば、スポンジ、石鹸、チューブ、バスブーツ、洗面器を保持するホルダーにおいて、線材を折り曲げ形成し、一端を前記バスルームまたはキッチンに架設されたタオル掛けもしくはハンドルに掛留めし、他端を前記所定の物品を保持する保持部とする。
【００２８】
それゆえ、前記バスルームまたはキッチンに架設された既存のタオル掛けやドアのハンドルを利用し、それらに引掛けて、物品を保持することができる。
【図面の簡単な説明】
【００２９】
【図１】本発明の実施の第１の形態のホルダーの斜視図である。
【図２】本発明の実施の第２の形態のホルダーの斜視図である。
【図３】本発明の実施の第３の形態のホルダーの斜視図である。
【図４】本発明の実施の第４の形態のホルダーの斜視図である。
【図５】本発明の実施の第５の形態のホルダーの斜視図である。
【図６】従来技術の洗面器用掛け金具の斜視図である。
【図７】図６の洗面器用掛け金具の使用状態を説明する側面図である。
【発明を実施するための形態】
【００３０】
（実施の形態１）
図１は、本発明の実施の第１の形態のホルダー１の斜視図である。このホルダー１は、バスルームまたはキッチンにて、それらで使用される物品を保持するホルダーである。このホルダー１は、線材が折り曲げ形成されて成り、一端がバスルームまたはキッチンに架設されたタオル掛けもしくはハンドル２に掛留めされる掛留め部分１８となり、他端が所定の物品である石鹸３１を保持する保持部１９となる。
この石鹸３１に対応して、本実施形態のホルダー１は、前記タオル掛けもしくはドアのハンドル２の軸方向２１に見てＳ字状の線材１１〜１５が、軸方向２１に相互に間隔を開けて複数（図１の例では５つ）配置され、かつ各線材１１〜１５の前記Ｓ字の両端部１１１〜１５１，１１２〜１５２間が連結部材１６，１７で連結されて構成される。図１の例では、１本の線材で、線材１１−連結部材１７−線材１５−連結部材１６が曲成され、さらにその両端間が連結されて外枠となり、残余の線材１２〜１４が等間隔に配置されて、その両端部１２１〜１４１，１２２〜１４２が、それぞれ連結部材１６，１７に溶接されて構成される。好ましくは、線材１１〜１５および連結部材１６，１７は、防錆のため、ステンレスまたはそのメッキが施されて成る。前記Ｓ字で、上部側の掛留め部分１８は後方に開放したフックとなり、下部側の保持部１９は前方に開放して石鹸を前方から出入れ可能にする。
【００３１】
このように構成することで、バスルームやキッチンで使用される物品を保持するホルダー１において、吸盤などで壁面に取付いたりするのではなく、前記バスルームやキッチンに架設された既設のタオル掛けもしくはドアのハンドル２に引掛けて使用するので、ずり落ちたり、剥がれたりすることなく、既存設備を利用して、安定して物品を保持することができる。
【００３２】
また、ホルダー１は、線材を折り曲げて、また必要に応じて溶接やロウ付けなども併用して形成されて成り、一端がタオル掛けやドアのハンドル２に掛留め部分１８となり、他端が所定の物品を保持する保持部１９となるので、線材（ワイヤー）で、水切れが良く、前記バスルームやキッチンでの使用に好適である。また、線材を、フォーミングマシンで、チャックまたはクランプして、曲げて行くだけあるので、プログラム設定で自由に形状を変えられ、さらに樹脂成型品のように、格別、金型は必要無く、そのため低コストで、初期投資が少なく、少量生産にも容易に対応することができる。
【００３３】
しかも、本実施形態のホルダー１は、軸方向２１に見てＳ字状の線材１１〜１５が軸方向２１に相互に間隔を開けて複数配置され、Ｓ字の一方の屈曲部分がタオル掛けまたはハンドル２への掛留め部分１８となり、他方の屈曲部分が石鹸３１を保持する保持部１９となるので、水切れが良く、かつ小さくなった石鹸も保持することができる石鹸用のホルダーを実現することができる。
【００３４】
（実施の形態２）
図２は、本発明の実施の第２の形態のホルダー４の斜視図である。このホルダー４も、バスルームまたはキッチンで使用される物品を保持するホルダーで、一本の線材が往復で折り曲げ形成されて成り、一端が前記タオル掛けもしくはハンドル２に掛留めされる掛留め部分４８となり、他端が所定の物品であるスポンジ３２を保持する保持部４９となる。
【００３５】
このスポンジ３２に対応して、本実施形態のホルダー４は、前記タオル掛けもしくはドアのハンドル２の軸方向２１に見て後方に突出するＪ字状の掛留め部分４８と、その掛留め部分４８に連なり、前方に突出し、前記軸方向２１に見て、上に開放したコの字状の保持部４９とを備えて構成される。さらに、その掛留め部分４８および保持部４９は、前記幅方向２１の中央部において、ハンドル２の軸直角断面を含む平面に対して、左右が面対称の一対の部分４１，４２から構成されることになる。
【００３６】
したがって、一対の部分４１，４２は、Ｊ字の部分４１１，４２１と、保持部の部分４１２，４２２とを備えて構成される。Ｊ字の部分４１１，４２１の短辺側（後方側）の先端部間は、連結部材４３で連結されている。Ｊ字の部分４１１，４２１の間隔が広くなると、横揺れを小さくすることができる。Ｊ字の部分４１１，４２１の長辺側からは、第１の部分４１２１，４２２１が垂下し、その第１の部分４１２１，４２２１の下端からは、第２の部分４１２２，４２２２が略前方に延び、その第２の部分４１２２，４２２２の前端からは、第３の部分４１２３，４２２３が立上がる。
【００３７】
これらの第１の部分４１２１，４２２１、第２の部分４１２２，４２２２および第３の部分４１２３，４２２３は、前記軸方向２１に見て、上に開放したコの字を形成する。第１の部分４１２１，４２２１は下方になるに連れて相互に離反するように曲成されており、第２の部分４１２２，４２２２は相互に平行であり、第３の部分４１２３，４２２３は、前方から見て、半円のアーチ状に連結されている。なお、第３の部分４１２３，４２２３は、半円ではなく、楕円でもよく、またアーチ状ではなく、コの字状であってもよい。
【００３８】
このように本実施形態のホルダー４は、スポンジ３２が、石鹸３１のように、使用によりあまり大きさが変わらず、また軽いので、一本の線材を折返した一対の部分４１，４２で、該スポンジ４２を保持するようになっている。しかも、この一対の部分４１，４２における保持部の部分４１２，４２２の第１の部分４１２１，４２２１は、軸の側面方向（正面方向）から見て、下方になるに連れて幅が拡がってゆくので、スポンジ３２を安定して保持し、また上に開放したコの字の部分、特に立上がる第３の部分４１２３，４２２３で、脱落を防止することができる。
【００３９】
（実施の形態３）
図３は、本発明の実施の第３の形態のホルダー５の斜視図である。このホルダー５も、バスルームまたはキッチンで使用される物品を保持するホルダーで、一本の線材が折り曲げ形成されて成り、一端が前記タオル掛けもしくはハンドル２に掛留めされる掛留め部分５８となり、他端が所定の物品であるチューブ３３を保持する保持部５９となる。
【００４０】
このチューブ３３に対応して、本実施形態のホルダー５は、前記タオル掛けもしくはドアのハンドル２の軸方向２１に見て後方に突出するＪ字状の掛留め部分５８と、その掛留め部分５８に連なり前方に突出する保持部５９とを備えて構成される。保持部５９は、チューブ３３の腹部３３１を外囲するリング５１と、リング５１から立下がる立下げ部５２と、その立下げ部５２に連なり、チューブ３３のキャップ部分３３２を下方から支持する当り部５３とを備えて構成される。
【００４１】
掛留め部分５８は、リング５１付近から立上がり、前記軸方向２１に見てＪ字状の立上がり部５４と、該立上がり部５４と対を成し、前記Ｊ字状で該立上がり部５４と軸方向２１に間隔を開けて平行に立下がり、リング５１に連なる立下がり部５５と、Ｊ字の短辺側間を連結するＵ字状の連結部５６とを備えて構成される。立上がり部５４の基端部５４１は、リング５１と平行に折り曲げられ、線材の引掛かり防止のための樹脂製のキャップ５７が被せられている。立上がり部５４と立下がり部５５との間隔が広くなると、横揺れを小さくすることができる。
【００４２】
チューブ３３は、横にして、上述のホルダー１，４でも保持可能であるが、石鹸やクリームなどのチューブは、本実施形態のホルダー５のように、キャップ部分３３２を下にして、立てて保管されると、残りを無駄なく使用することができ、好適である。その立てての保管のために、保持部５９は、キャップ部分３３２を当り部５３で下から押えるとともに、倒れないように腹部（チューブの中央部付近）３３１をリング５１で支えている。このように構成することで、チューブ３３を、効果的に保持することができる。
【００４３】
さらに、掛留め部分５８を一対の立上がり部５４および立下がり部５５ならびにそれらを連結する連結部５６で構成し、保持部５９を構成するリング５１、立下げ部５２および当り部５３までの構成を、一本の線材を一筆書き状に折り曲げて形成する。したがって、溶接やロウ付け無しで、線材（ワイヤ）を折り曲げるだけで、該ホルダー５を作成することができる。
【００４４】
（実施の形態４）
図４は、本発明の実施の第４の形態のホルダー６の斜視図である。このホルダー６は、バスルームで使用される物品を保持するホルダーで、一端が前記タオル掛けもしくはハンドル２に掛留めされる掛留め部分６８となり、他端が所定の物品であるバスブーツまたは洗面器（図４の例ではバスブーツ）３４を保持する保持部６９となる。
【００４５】
このバスブーツ３４または洗面器に対応して、本実施形態のホルダー６は、前記タオル掛けもしくはドアのハンドル２の軸方向２１に見て後方に突出するＪ字状の掛留め部分６８と、その掛留め部分６８に連なり、前記軸方向２１に見て前方に突出してＣの字状の保持部６９とを備えて構成される。掛留め部分６８は、図３の掛留め部分５８に類似し、前記軸方向２１に見てＪ字状の立上がり部５４と、該立上がり部５４と対を成し、前記Ｊ字状で該立上がり部５４と軸方向２１に間隔を開けて平行に立下がる立下がり部５５と、Ｊ字の短辺側間を連結するＵ字状の連結部５６とを備えて構成される。立上がり部５４の基端部５４１および立下がり部５５の基端部５５１が、水平方向で相互に離反する方向に折り曲げられ、そこが前記保持部６９の取付け部となって該保持部６９の溶接される点が、前記ホルダー５と異なる。
【００４６】
保持部６９は、前記軸方向２１に相互に間隔を開けて配置される左右一対の前記Ｃの字状の線材６１，６２と、Ｃ字の上部６１１，６２１間を連結する連結部６３とを備えて構成される。線材６１，６２において、前記Ｃの字の中間から上部の部分６１２，６２２が、前記基端部５４１，５５１に溶接される。また、線材６１，６２は、捻れており、Ｃ字の下部６１３，６２３側が相互に離反して開放してゆくように形成されている。Ｃ字の下部６１３，６２３の端部６１４，６２４には、前記キャップ５７と同様の引掛かりや怪我の防止用の樹脂製のキャップ６４，６５が被せられている。
【００４７】
上述のように構成されるホルダー６において、Ｃ字の下部６１３，６２３の端部６１４，６２４は、図４で示すように、左右のバスブーツ３４の踵部分が引掛かってそれぞれ係止する。一方、洗面器の場合は、このＣ字の下部６１３，６２３の端部６１４，６２４で該洗面器の内周を保持し、前記Ｃ字の上部６１１，６２１から連結部６３で、該洗面器の鍔の部分を抱え込む。このように、保持部６９を２つのＣ字状の線材６１，６２で構成することで、バスブーツ３４や洗面器を上手く引っ掛けて保持することができる。
【００４８】
（実施の形態５）
図５は、本発明の実施の第５の形態のホルダー７の斜視図である。このホルダー７は、キッチンで使用される物品を保持するホルダーで、一端が前記タオル掛けもしくはハンドル２或いは食器棚等に掛留めされる掛留め部分７８となり、他端が所定の物品である小片のスポンジ３５を保持する保持部７９となる。
【００４９】
この小片のスポンジ３５に対応して、本実施形態のホルダー７は、前記タオル掛けもしくはドアのハンドル２の軸方向２１に見て後方に突出するＪ字状の掛留め部分７８と、その掛留め部分７８に連なり、前記軸方向２１に見て端部が拡大して形成される保持部７９とを備えて構成される。このホルダー７は、一本の線材が保持部７９から掛留め部分７８で往復するように折り曲げ形成されて成り、掛留め部分７８は、図３および図４の掛留め部分５８，６８に類似し、前記軸方向２１に見てＪ字状の立上がり部５４と、該立上がり部５４と対を成し、前記Ｊ字状で該立上がり部５４と軸方向２１に間隔を開けて平行に立下がる立下がり部５５と、Ｊ字の短辺側間を連結するＵ字状の連結部５６とを備えて構成される。
【００５０】
保持部７９は、左右一対の部分７１，７２と、留め具７３とを備えて構成される。部分７１，７２は、前記立下がり部５５および立上がり部５４から直線状に延びる軸部７１１，７２１と、その軸部７１１，７２１の先端を前後方向に形成した円や三角形に折返すことで拡大したクランプ部７１２，７２２とを備えて構成される。留め具７３を上げた状態で、クランプ部７１２，７２２間を開いて、前記小片のスポンジ３５を挟込み、留め具７３を下げてクランプ部７１２，７２２間を閉じることで、該クランプ部７１２，７２２間に小片のスポンジ３５をクランプすることができる。
【００５１】
この小片のスポンジ３５によって、水筒、ジョッキ、マグカップ、或いは口の広いペットボトルなどの筒物洗いに使用することができる。非使用時は、掛留め部分７８で、前記タオル掛けもしくはドアのハンドル２、或いは食器棚に吊して乾燥させることができる。このように構成することで、スポンジホルダーと筒物洗いとを兼用し、利便性を向上することができる。
【符号の説明】
【００５２】
１，４，５，６，７    ホルダー
１１〜１５    線材
１１１〜１５１，１１２〜１５２    両端部
１６，１７    連結部材
１８，４８，５８，６８，７８    掛留め部分
１９，４９，５９，６９，７９    保持部
２    タオル掛けもしくはドアのハンドル
３１    石鹸
３２    スポンジ
３３    チューブ
３３１  腹部
３３２  キャップ部分
３４    バスブーツ
３５    小片のスポンジ
４１，４２    一対の部分
４１１，４２１    Ｊ字の部分
４１２，４２２    保持部の部分
４１２１，４２２１    第１の部分
４１２２，４２２２    第２の部分
４１２３，４２２３    第３の部分
４３    連結部材
５１    リング
５２    立下げ部
５３    当り部
５４    立上がり部
５５    立下がり部
５６    連結部
５７    キャップ
６１，６２    線材
６３    連結部
７１，７２    一対の部分
７１１，７２１    軸部
７１２，７２２    クランプ部
７３    留め具
【図１】
2020130716.tif 000003
【図２】
2020130716.tif 000004
【図３】
2020130716.tif 000005
【図４】
2020130716.tif 000006
【図５】
2020130716.tif 000007
【図６】
2020130716.tif 000008
【図７】
2020130716.tif 000009